(57)【要約】【課題】省スペース化と施工性の向上を図るとともに、冬期の浴室の暖房運転直後の肌寒さの改善と立上り時間の短縮を図る。【解決手段】浴室と他の複数の部屋の換気空調を行う換気空調装置において、浴室を暖房する場合には、他室からも吸い込んだ空気の温度により、第２の開閉装置２７が可動し、第１熱交器８あるいは、第２熱交換器１１へ空気を送り込み、暖かい空気の場合、第１熱交器８へ空気を送り込むことで、熱交換をアシストし、一度浴室内に吹出してから循環して屋外に排出する他室暖房風路２８を構成したことで、暖房運転直後の肌寒さと立上り時間を改善し、熱効率の改善を図ることができる。【選択図】図１
2008249171.tif 000002
【特許請求の範囲】
【請求項１】
浴室の天井に設置された本体と、浴室の空気を吸い込むための吸込口と、浴室に空気を吹出すための吹出口と、前記吸込口から浴室の空気を吸込み屋外へ排気する換気ファンと、前記吸込口から浴室の空気を吸込み循環風路を通って前記吹出口に吹出す循環ファンと、前記循環ファンにより送風される空気と冷媒を熱交換させる第１熱交換器と、前記換気ファンにより送風される空気と冷媒を熱交換させる第２熱交換器と、前記吸込口からの空気を前記換気ファンにて屋外へ排出する換気通路と、他室からの空気を取込む他室吸気口Ａと、他室からの空気を取込む他室吸気口Ｂと、前記循環ファンにより前記他室吸気口Ａから他室からの空気を取込み前記第１熱交換器への送風と前記他室吸気口Ｂから他室からの空気を取込み前記第２熱交換器への送風を切換える開閉装置を備え、冬期の暖房運転直後の吹出し温度を上げるために、浴室の温度と他室から取込まれた空気の温度を比較して、第２の開閉装置を制御させることを特徴とする換気空調装置。
【請求項２】
開閉装置を本体内部に備えたことを特徴とする請求項１記載の換気空調装置。
【請求項３】
浴室に設置された本体と、浴室内に空気を取込む浴室の扉に備えた浴室吸気口と、換気ファンと、前記換気ファンにて屋外へ空気を排出する換気通路を備え、冬期の暖房運転直後の浴室内の温度を上げるために、前記換気ファンにより前記浴室吸気口より空気を取込む構成にしたことを特徴とする換気空調装置。
【請求項４】
浴室内の温度を検知する浴室温度検知手段と、浴室吸気口から取込む空気の温度を検知する吸気温度検知手段と、前記浴室吸気口から取込まれる空気量を増減する空気量増減手段を備え、前記浴室温度検知手段により検知された浴室内の温度と前記吸気温度検知手段により検知された浴室吸気口から取込まれた空気の温度を比較し前記空気量増減手段を制御する構成にしたことを特徴とする請求項３記載の換気空調装置。
【発明の詳細な説明】
【技術分野】
【０００１】
本発明は、ヒートポンプを利用して浴室などの換気空調を行う換気空調装置に関する。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものもある（例えば、特許文献２参照）。
【特許文献１】特開２００５−１８０７１２号公報
【特許文献２】特開２００２−３４９９３０号公報
【発明の開示】
【発明が解決しようとする課題】
【０００４】
以上のようにヒートポンプを利用した浴室などの換気空調装置は、様々な形態のものが提案されている。特許文献１に例示される浴室空調装置は、浴室から屋外に排出される空気から熱を回収して浴室を空調するものであるが、熱交換器において排出空気の全ての熱量を回収することは不可能であるため、浴室を空調した熱（冷熱）の一部が屋外に漏洩することにより熱損失が生じ、熱効率が悪いという課題があった。
【０００５】
また、冬期の暖房運転直後は、熱効率が悪いため、送風が肌寒く感じられ、使用者が不快を感じ、暖房時の立上り時間の改善が必要であるという課題があった。
【０００６】
本発明は上記従来の課題を解決するものであり、浴室内と屋外の機器が一体化した換気空調装置において、浴室と他の複数の部屋の換気空調を行い、冬期、暖房運転を行った場合に、暖房運転直後の吹出し温度を高くすることで、立上り時間を短くし、暖房能力をより確保のために、他の居住空間の暖かい空気を吸気し、第一熱交換器を経由して浴室に吹出す経路を設けることで、熱効率の改善を図ることを目的としている。
【０００７】
また、本発明は、冬期、浴室などの１個の部屋の換気空調を行う換気空調装置において、暖房運転を行った場合に、脱衣室や居住空間より、浴室扉の吸込口から空気取込み、換気による吸込み経路を設けることで、熱効率の改善を図ることを目的の第２の目的としている。
【課題を解決するための手段】
【０００８】
上記した第１の目的を達成するために、浴室の天井に設置された本体と、浴室の空気を吸い込むための吸込口と、浴室に空気を吹出すための吹出口と、前記吸込口から浴室の空気を吸込み屋外へ排気する換気ファンと、前記吸込口から浴室の空気を吸込み循環風路を通って前記吹出口に吹出す循環ファンと、前記循環ファンにより送風される空気と冷媒を熱交換させる第１熱交換器と、前記換気ファンにより送風される空気と冷媒を熱交換させる第２熱交換器と、前記吸込口からの空気を前記換気ファンにて屋外へ排出する換気通路と、他室からの空気を取込む他室吸気口Ａと、他室からの空気を取込む他室吸気口Ｂと、前記循環ファンにより前記他室吸気口Ａから他室からの空気を取込み前記第１熱交換器への送風と前記他室吸気口Ｂから他室からの空気を取込み前記第２熱交換器への送風を切換える開閉装置を備え、冬期の暖房運転直後の吹出し温度を上げるために、浴室の温度と他室から取込まれた空気の温度を比較して、開閉装置を制御させることを特徴ととしたもので、浴室を暖房する場合には、他室からも吸い込んだ空気の温度により、開閉装置が可動し、第１熱交器側あるいは、第２熱交換器へ空気を送り込み、暖かい空気の場合、第１熱交器側へ空気が送り込むため、熱交換をアシストし、一度浴室内に吹出してから循環して屋外に排出する構成にしたものである。
【０００９】
このことにより、浴室の吸込口の温度と他室吸込口の温度を比較して、他室吸込口の温度が高ければ、開閉装置が動作し、第１熱交換器側に暖かい空気を送風させることができる。
【００１０】
また、上記した第２の目的を達成するために、本発明の浴室などの１個の部屋の換気空調を行う換気空調装置は、暖房運転を行った場合に、脱衣室や居住空間より、浴室扉の吸込口から空気取込むために、浴室の扉にある浴室吸気口より、浴室内に脱衣室や居住空間の暖かい空気を一時的に通過させることで取り入れて、屋外に排出させる構成にしたものである。
【００１１】
このことにより、浴室の温度と脱衣室や居住空間の温度を比較して、浴室吸込口の温度が高ければ、第２の換気通路にて暖かい空気を浴室に取込むことができる。
【発明の効果】
【００１２】
本発明の換気空調装置によれば、冬期に浴室で暖房運転を行った場合に他室などの居住空間から暖かい空気を吸気して浴室内に循環させることで、暖房運転直後の肌寒さと立上り時間を改善し、熱効率の改善を図ることができる。
【００１３】
また、開閉装置を本体内の搭載することで、本体内で制御が可能な商品構成になるだけでなく、吸気ダクト工事の施工性の向上と省スペース化を図ることができる。
【００１４】
さらに、１個の部屋の換気空調を行う換気空調装置でも、冬期の浴室で暖房運転を行った場合に脱衣室や居住空間より、浴室扉の吸込口から暖かい空気取り入れることで、暖房運転直後の肌寒さと立上り時間の改善を図ることができる。
【００１５】
また、浴室と脱衣室や居住空間の温度を検出することで、浴室吸気口可動部を可動させることができ、脱衣室や居住空間からの暖かい空気の吸気量をより増加することができるため、暖房運転直後の肌寒さと立上り時間の改善をより図ることができる。
【発明を実施するための最良の形態】
【００１６】
本発明の請求項１記載の換気空調装置は、浴室の天井に設置された本体と、浴室の空気を吸い込むための吸込口と、浴室に空気を吹出すための吹出口と、前記吸込口から浴室の空気を吸込み屋外へ排気する換気ファンと、前記吸込口から浴室の空気を吸込み循環風路を通って前記吹出口に吹出す循環ファンと、前記循環ファンにより送風される空気と冷媒を熱交換させる第１熱交換器と、前記換気ファンにより送風される空気と冷媒を熱交換させる第２熱交換器と、前記吸込口からの空気を前記換気ファンにて屋外へ排出する換気通路と、他室からの空気を取込む他室吸気口Ａと、他室からの空気を取込む他室吸気口Ｂと、前記循環ファンにより前記他室吸気口Ａから他室からの空気を取込み前記第１熱交換器への送風と前記他室吸気口Ｂから他室からの空気を取込み前記第２熱交換器への送風を切換える開閉装置を備え、冬期の暖房運転直後の吹出し温度を上げるために、浴室の温度と他室から取込まれた空気の温度を比較して、第２の開閉装置を制御させることを特徴としたもので、冬期の暖房運転直後の吹出口の温度を上げるために、他室吸気口より暖かい空気を取込み他室暖房風路を構築するものであり、循環風路だけでなく、他室暖房風路からも送風することで、第１の熱交換器の熱効率をアシストして送風する作用を有する。
【００１７】
また、他の手段は、開閉装置を本体内部に備えたもので、請求項１の作用だけでなく、本体内に他室の温度を検出するサーミスタを設置することができ、本体内で制御する構造が可能となるという作用を有する。
【００１８】
さらに、他の手段は、浴室に設置された本体と、浴室内に空気を取込む浴室の扉に備えた浴室吸気口と、換気ファンと、前記換気ファンにて屋外へ空気を排出する換気通路を備え、冬期の暖房運転直後の浴室内の温度を上げるために、前記換気ファンにより前記浴室吸気口より空気を取込む構成にしたことを特徴としたもので、一室換気装置の冬期の暖房運転直後の浴室の温度を上げるために、脱衣室や居住空間から換気による第２の換気通路を構築して、暖かい空気を取り入れるという作用を有する。
【００１９】
また、他の手段は、浴室内の温度を検知する浴室温度検知手段と、浴室吸気口から取込む空気の温度を検知する吸気温度検知手段と、前記浴室吸気口から取込まれる空気量を増減する空気量増減手段を備え、前記浴室温度検知手段により検知された浴室内の温度と前記吸気温度検知手段により検知された浴室吸気口から取込まれた空気の温度を比較し前記空気量増減手段を制御する構成にしたことを特徴としたもので、一室換気装置の冬期の暖房運転直後の浴室の温度を上げるために、脱衣室や居住空間の温度と浴室の温度を比較して、脱衣室や居住空間の温度が高ければ、稼動手段にて浴室吸気口可動部を上方向に広げて開口面積を大きくして、より暖かい空気を取り入れるという作用を有する。
【００２０】
以下、本発明の実施の形態について、図面を参照しながら説明する。
【００２１】
（実施の形態１）
本発明の実施の形態１について図１に基づいて説明する。図１は、本実施の形態１の換気空調装置を示す図であり、多室換気空調装置の風路構成と冷媒回路を示す図で、上方が天井、下方が浴室である。
【００２２】
図１において、天井１に設置された換気空調装置は、本体２を仕切りで２分し、左方の空間に循環ファン３、右方空間に換気ファン４を配している。
【００２３】
また、左方空間の循環ファン３が駆動したときには、吸込口５から吹出口６に向かう循環風路７が形成され、この循環風路７に第１熱交換器８が設置されている。
【００２４】
さらに、右方空間の換気ファン４が駆動したときには、吸込口５から排気ダクト９に向かう第１の換気通路１０が形成され、この第１の換気通路１０の換気ファン４の上流側に第２熱交換器１１を配している。また、この右方空間には第１の開閉装置１２を備えている。
【００２５】
さらに、本体２の内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路１３を形設しており、この冷媒回路１３中に、冷媒を圧縮する圧縮機１４、供給空気と冷媒とを熱交換させる第１熱交換器８、冷媒を膨張させる電子式膨張弁からなる膨張機構１５、供給空気と冷媒とを熱交換させる第２熱交換器１１を介設している。
【００２６】
また、この冷媒回路１３には、圧縮機１４で圧縮された冷媒が第１熱交換器８、膨張機構１５、第２熱交換器１１の順に流れて再び圧縮機１４に戻る経路（以下、暖房サイクル）と、圧縮機１４で圧縮された冷媒が第２熱交換器１１、膨張機構１５、第１熱交換器８の順に流れて再び圧縮機１４に戻る経路（以下、冷房サイクル）とを切り換えるための流路切換弁１６が介設されている。
【００２７】
さらに、第１熱交換器８の冷媒が流れる配管中には開閉弁１７とキャピラリーチューブ１８で構成される減圧手段１９を介設しており、第１熱交換器８は、流路切換弁１６が冷媒の流れ方向を実線で示す方向、即ち暖房サイクルに切り換えた場合に循環ファン３により循環する浴室の空気が第１熱交換器８の減圧手段１９の下流側を流れる冷媒と熱交換した後に減圧手段１９の上流側を流れる冷媒と熱交換を行うように形設されている。
【００２８】
また、多室換気空調装置の特徴である他室である居住空間からの空気を取込む他室吸気口２１は、第１熱交換器８側に送風する他室吸気口Ａ２２と第２熱交換器１１側に送風する他室吸気口Ｂ２３を備えている。
【００２９】
循環ファン３により他室吸気口Ａ２２から他室からの空気を取込み第１熱交換器８への送風と他室吸気口Ｂ２６から他室からの空気を取込み第２熱交換器１１への送風を切換える開閉装置としての、第２の開閉装置２７を備えている。開閉装置としては、風路の切替え、送風路の切替えができればよく、切替えダンパなどがある。
【００３０】
さらに、別の部屋から取り入れる他室吸気口２４は、第１熱交換器８側に送風する他室吸気口Ａ２５と第２熱交換器１１側に送風する他室吸気口Ｂ２６を備えている。また、第１熱交換器８と第２熱交換器１１への送風を切り換えるために、第２の開閉装置２７を本体から離れたダクト上にあり、他室の居住空間の温度と浴室内の温度を検知して、他室の居住空間の吸込み温度が高い場合に、第２の開閉装置２７は、第１熱交換器８側に送風するように動作することとする。
【００３１】
さらに、浴室の吸込み温度が高い場合は、第２熱交換器１１側に送風するように第２の開閉装置２７は動作することとする。
【００３２】
次に「暖房運転」時の運転動作について説明する。「暖房運転」は、冬場等の気温の低い季節に浴室の洗い場で体を洗う際に入浴者が寒さを感じずに快適に入浴できるように浴室内を暖房する場合に選択される運転パターンである。
【００３３】
また、この「暖房運転」を実行する場合の換気ファン４は、風量が多い「強ノッチ」で運転する。
【００３４】
さらに、流路切換弁１６を「暖房サイクル側」にして他の構成要素は冷房運転と同じにして圧縮機１４を駆動する。
【００３５】
また、このような運転を行うことにより、圧縮機１４で圧縮された高温高圧の冷媒が暖房サイクル側に設定されている流路切換弁１６を通り、第１熱交換器８に導かれる。
【００３６】
さらに、第１熱交換器８には循環ファン３が所定ノッチで運転しているため、吸込口５から本体２内に吸い込まれた浴室の空気が供給される。
【００３７】
また、第１熱交換器８の冷媒配管途中に位置する開閉弁１７は、開放状態に設定されているため、第１熱交換器８に流入した高温高圧の冷媒は減圧作用を受けずに第１熱交換器８を通過する。
【００３８】
さらに、この過程で第１熱交換器８に供給される浴室の空気との熱交換が行われて冷媒が放熱する。
【００３９】
また、この放熱により空気は加熱されて吹出口６から浴室に吹き出される。
【００４０】
上記構成において、冬期（１１月から２月）の暖房運転時の運転直後に、循環ファン３が動作することで循環風路７により、第１熱交換器８に送風されるが、浴室から循環される空気は冷たいため、運転直後は第１熱交換器８も温まっておらず、循環ファン３から送風される空気は冷たい空気であった。
【００４１】
さらに、他の居住空間は、暖房器具を使用しているため、暖かい環境であることが多いため、運転直後に他室吸気口２１の温度と浴室の吸込口５の温度を比較させて、他室吸気口２１の温度が高い場合、第２の開閉装置２７を第１熱交換器８側に送風させることで、第１熱交換器８に、他室暖房風路２８にて、暖かい空気を送風することで、循環風路７の浴室から吸込口の空気だけでなく、他室暖房風路２８の空気を第１熱交換器８に送風することで、熱効率を上げることで、吹出し温度を上げるアシストをすることができる。
【００４２】
また、他室吸気口２１の温度と浴室の吸込口５の温度を検出するための手段としては、一例としてサーミスタが用いられ、比較するための手段としては、一例としてマイクロコンピュータなどが用いられる。
【００４３】
さらに、他の居住空間の吸込み温度が低い場合、第２の開閉装置２７を第２熱交換器１１側に送風させることで、排気ダクト９より屋外へ冷えた空気が排出されるようになる。
【００４４】
（実施の形態２）
本発明の実施の形態２について図２に基づいて説明する。なお、実施の形態１と同一部分は同一符号を附し詳細な説明は省略する。
【００４５】
図２において、本体上部の他室吸気口２１と他室吸気口２４に接続されていた第２の開閉装置２７を本体２内部に搭載した構成とする。
【００４６】
上記構成において、冬期（１１月から２月）の暖房運転時の運転直後に、循環ファン３が動作することで循環風路７により、第１熱交換器８に送風されるが、浴室から循環される空気は冷たいため、運転直後は第１熱交換器８も温まっておらず、循環ファン３から送風される空気は冷たい空気であった。
【００４７】
さらに、他の居住空間は、暖房器具を使用しているため、暖かい環境であることが多いため、運転直後に他室吸気口２１の温度と浴室の吸込口５の温度を比較させて、他室吸気口２１の温度が高い場合、第２の開閉装置２７を第１熱交換器８側に送風させることで、第１熱交換器８に、他室暖房風路２８にて、暖かい空気を送風することで、循環風路７の浴室から吸込口の空気だけでなく、他室暖房風路２８の空気を第１熱交換器８に送風することで、熱効率を上げることで、吹出し温度を上げるアシストをすることができる。
【００４８】
また、他の居住空間の吸込み温度が低い場合、第２の開閉装置２７を第２熱交換器１１側に送風させることで、排気ダクト９より屋外へ冷えた空気が排出されるようになる。
【００４９】
さらに、第２の開閉装置２７を本体内部に備えたことで、他室吸気口２１が本体２内の一箇所に統合されるため、本体２内に他室からの吸込み温度を検出するサーミスタを設置することが可能となり、本体２内の配線で制御が可能となるために、取り付け工事によるダクト配管の作業を低減することで、施工性が向上し、省スペース化を図ることができる。
【００５０】
（実施の形態３）
本発明の実施の形態３について図３に基づいて説明する。なお、実施の形態１、２と同一部分は同一符号を附し詳細な説明は省略する。
【００５１】
図３において、浴室３０の天井１に取り付けてある本体２において、浴室３０に隣接する脱衣室や居住空間３１になっている。
【００５２】
また、浴室３０と脱衣室や居住空間３１の間仕切りとして浴室扉３２を設け、浴室扉３２には吸気口である浴室吸気口３３が取り付いている。
【００５３】
さらに、換気ファン４が運転すると、脱衣室や居住空間３１の空気が浴室吸気口３３を経由して第２の熱交換器１１より、排気ダクト９を経由して屋外に排気される換気経路である第２の換気通路３４が構成される。
【００５４】
上記構成の一室換気装置において、冬期の暖房運転時の運転直後に、循環ファン３と換気ファン４が動作することで循環風路７と第１の換気通路１０より空気が循環することになるが、脱衣室や居住空間３１は、洗濯物の乾燥機を運転していたり、居住空間のため、暖房されていることが多いことから、暖房運転時の運転直後には、浴室吸気口３３より吸気して暖かい空気を浴室３０を経由して屋外に排気する第２の換気通路３４を活用することで、浴室３０の温度を上げるアシストをすることが可能となる。
【００５５】
また、従来の浴室３０単独の暖房運転から脱衣室や居住空間３１を含めた風路の構築より、浴室３０の温度を上げることができ、暖房運転直後の肌寒さを改善することができる。
【００５６】
（実施の形態４）
本発明の実施の形態４について図４に基づいて説明する。なお、実施の形態１〜３と同一部分は同一符号を附し詳細な説明は省略する。
【００５７】
図４において、浴室３０の天井１に取り付けてある本体２において、浴室３０に隣接する脱衣室や居住空間３１になっている。
【００５８】
また、浴室３０と脱衣室や居住空間３１の間仕切りとして浴室扉３２を設け、浴室扉３２には吸気口である浴室吸気口３５が取り付いている。
【００５９】
さらに、浴室吸気口３５の一例としてはガラリなどが代表的である。
【００６０】
また、浴室吸気口３５には、浴室吸気口３５から取込まれる空気量を増減する空気量増減手段としての可動手段３６と浴室吸気口可動部３７が取り付けてあり、可動手段３６の代表的な一例は、ステッピングモーターなどの開閉角度が制御できるものである。
【００６１】
さらに、浴室吸気口可動部３７の一例としてはガラリのフィンなどである。
【００６２】
上記構成の一室換気装置において、冬期の暖房運転時の運転直後に、循環ファン３と換気ファン４が動作することで、循環風路７と第１の換気通路１０より空気が循環することになるが、脱衣室や居住空間３１は、洗濯物の乾燥機を運転していたり、居住空間のため、暖房されていることが多いことから、脱衣室や居住空間３１の温度と浴室３０の温度を比較して、脱衣室や居住空間３１が高いときは、暖房運転時の運転直後に、浴室吸気口３５から吸気し、可動手段３６にて、浴室吸気口可動部３７の開口部を広くし、天井面の上方に開けることで、より吸気して暖かい空気を浴室３０を経由して屋外に排気する第２の換気通路３４を活用することで、浴室３０の温度を上げるアシストをすることが可能となる。
【００６３】
また、脱衣室や居住空間３１の温度が低いときは、可動手段３６にて浴室吸気口可動部３７の開口部を狭くするために、天井面の下方に締めることで、浴室吸気口３５からの空気の取り入れを少なくし、浴室３０の温度の低下を防止することができる。
【産業上の利用可能性】
【００６４】
以上のように本発明にかかる換気空調装置は、省スペース化と施工性の向上を図ることができ、また、空調空気の漏洩を低減して熱効率を向上することができるものであり、浴室の換気空調のみならず、リビング、寝室、キッチンあるいは洗面所等の換気空調装置にも適用することができる。
【図面の簡単な説明】
【００６５】
【図１】本発明の実施の形態１に係る換気空調装置を示す図
【図２】本発明の実施の形態２に係る換気空調装置を示す図
【図３】本発明の実施の形態３に係る換気空調装置を示す図
【図４】同換気空調装置の浴室吸気口の詳細図
【符号の説明】
【００６６】
１    天井
２    本体
３    循環ファン
４    換気ファン
５    吸込口
６    吹出口
７    循環風路
８    第１熱交換器
９    排気ダクト
１０  第１の換気通路
１１  第２熱交換器
１２  第１の開閉装置
１３  冷媒回路
１４  圧縮機
１５  膨張機構
１６  流路切換弁
１７  開閉弁
１８  キャピラリーチューブ
１９  減圧手段
２０  吸気口
２１  他室吸気口
２２  他室吸気口Ａ
２３  他室吸気口Ｂ
２４  他室吸気口
２５  他室吸気口Ａ
２６  他室吸気口Ｂ
２７  第２の開閉装置
２８  他室暖房風路
３０  浴室
３１  脱衣室や居住空間
３２  浴室扉
３３  浴室吸気口
３４  第２の換気通路
３５  浴室吸気口
３６  可動手段
３７  浴室吸気口可動部
【図１】
2008249171.tif 000003
【図２】
2008249171.tif 000004
【図３】
2008249171.tif 000005
【図４】
2008249171.tif 000006